(57)【要約】【課題】  玄関のドアを施錠するだけで、意図的に開放されている住戸内の窓を除いた住戸内の窓を施錠しつつ、開放されている窓への侵入に適切に対処することができるようにする。【解決手段】  窓Ｗの開放状態を開放状態検出部２にて検出し、窓Ｗが施錠されているか否かを施錠／解錠検出部３にて検出する。また、玄関のドアＤの外鍵Ｄｋの施錠の開始時に、開いている窓Ｗが存在する場合には、第一の報知制御部１ａは、窓Ｗが開いていることを確認報知部６により報知する。そして、外鍵Ｄｋの施錠の終了時に、確認報知部６の動作を停止する。一方、外鍵Ｄｋの施錠の終了時に、施錠制御部１ｂは閉まっている窓Ｗの窓鍵Ｗｋを施錠する。また、外鍵Ｄｋの施錠の終了後に、窓Ｗの開放状態が変化したと開放状態検出部２にて検出した場合には、第二の報知制御部１ｃは、その窓Ｗに異常が発生していることを警告報知部７により報知するようにしている。【選択図】        図１
2009289147.tif 000002
【特許請求の範囲】
【請求項１】
住戸内に設置された一つ以上の窓の開放状態をそれぞれ検出する開放状態検出部と、
前記窓が施錠されているか解錠されているかを検出する施錠／解錠検出部と、
前記住戸の玄関のドアに対する外部からの施錠の開始を検出する施錠開始検出部と、
前記ドアに対する外部からの施錠の終了を検出する施錠終了検出部と、
前記玄関の近傍に設置され、開いている窓が存在していることを報知する確認報知部と、
前記施錠開始検出部が前記施錠の開始を検出した場合に、前記開放状態検出部が前記窓の開放を検出したときに、前記確認報知部を動作させるとともに、前記施錠終了検出部が前記施錠の終了を検出した場合に、前記確認報知部の動作を停止する第一の報知制御部と、
前記施錠終了検出部が前記施錠の終了を検出した場合に、開いていないことが前記開放状態検出部により検出され、解錠されていることが前記施錠／解錠検出部により検出された窓の鍵を施錠する施錠制御部と、
前記開いている窓に異常が発生したことを報知する警告報知部と、
前記施錠終了検出部が前記施錠の終了を検出した場合に、前記開放状態検出部が前記窓の開放状態の変化を検出したときに、前記警告報知部を動作させる第二の報知制御部と、
を備えた住戸監視装置。
【発明の詳細な説明】
【技術分野】
【０００１】
本発明は、外出時における住戸の防犯を適切に行うための住戸監視装置に関する。
【背景技術】
【０００２】
従来、外出によって住戸を留守にする際の戸締まりは、以下の手順で行われていた。まず、住戸内の窓が開いているか閉まっているか、窓が閉まっている場合には窓が施錠されているか否かを居住者が確認して回る。そして、居住者は、住戸内の窓が開いている場合には窓を閉め、窓が施錠されていない場合には施錠を行う。最後に、玄関のドアを施錠してから外出する。
【０００３】
このような手順を行ってから外出することは非常に面倒であるため、住戸内の窓が施錠されているか解錠されているかを表示や音などで知らせ、一括して確認可能とした戸締確認システムが知られている（例えば、特許文献１など）。また、玄関のドアの施錠を行うだけで、住戸内の窓の施錠を自動的に行う技術も知られている（例えば、特許文献２など）。
【特許文献１】特開平７−１３４７９０号公報
【特許文献２】実開平６−１９０９９号公報
【０００４】
ところで、上述した特許文献１および特許文献２の技術を組み合わせると、外出時に玄関のドアの施錠を行う場合に、施錠されていない窓が存在するときには、表示や音などで居住者に知らせ、居住者に確認を促すとともに、施錠されていない窓を施錠することができるようになる。
【０００５】
しかしながら、例えば、住戸内の換気などの理由により意図的に住戸内の窓を開けたままで外出したいと居住者が考えた場合、住戸内の窓が開いたまま玄関のドアの施錠を行うと、上述した技術では、開いている窓の施錠が行われないことが表示や音などで居住者に知らされるものの、居住者が外出している間に開いている窓から侵入者が入ろうとしても何ら対処することができないという問題があった。
【発明の開示】
【発明が解決しようとする課題】
【０００６】
本発明は、このような問題を解決するために成されたものであり、玄関のドアを施錠するだけで、意図的に開放されている住戸内の窓を除いた住戸内の窓を施錠しつつ、開いている窓への侵入者の侵入に対して適切に対処することができるようにすることを目的とする。
【課題を解決するための手段】
【０００７】
上述した課題を解決するために、本発明では、住戸内の窓の開放状態を検出するとともに、窓が施錠されているか否かを検出する。そして、玄関のドアの施錠の開始時に、開いている窓が存在する場合には、窓が開いていることを報知し、玄関のドアの施錠の終了時には報知を停止する。一方、玄関のドアの施錠の終了時に、閉じていて、施錠されていない窓に対して施錠を行う。また、玄関のドアの施錠の終了後に窓の開放状態が変化した場合には、その窓に異常が発生していることを報知するようにしている。
【発明の効果】
【０００８】
上記のように構成した本発明によれば、開いている窓について、玄関のドアの施錠時に確認を促す報知が行われるので、意図的に開けている窓が無い場合には、居住者はそれらの窓を閉めることで、住戸内の防犯性を高めることができる。一方、意図的に開けている窓がある場合には、居住者はそのまま玄関のドアの施錠を行うことができる。また、閉まっている窓は、玄関のドアの施錠後に自動的に施錠されるので、住戸内の防犯性を更に高めることができる。また、開いている窓が侵入者などによって更に開けられた場合には、窓に異常が発生したことが報知されるので、開いている窓への侵入者の侵入に対して適切に対処することができる。
【発明を実施するための最良の形態】
【０００９】
以下、本発明の一実施形態を図面に基づいて説明する。図１は、本実施形態による住戸監視装置１０を含む住戸システムの構成例を示すブロック図である。図１に示すように、本実施形態による住戸監視装置１０は、制御部１、開放状態検出部２、施錠／解錠検出部３、施錠開始検出部４、施錠終了検出部５、確認報知部６、警告報知部７を備えて構成されている。また、制御部１は、第一の報知制御部１ａ、施錠制御部１ｂ、第二の報知制御部１ｃを備えて構成されている。また、住戸内には窓Ｗが存在し、窓Ｗには、窓Ｗが閉まった状態で施錠信号により施錠を行う窓鍵Ｗｋが設けられている。なお、本実施形態では、住戸内に窓Ｗは一つしか存在していないが、複数存在して良いことはもちろんである。
【００１０】
制御部１は、本実施形態による住戸監視装置１０の各構成要素を後述するように制御する。開放状態検出部２は、それぞれの窓Ｗに対して設けられており、窓Ｗがどの程度開いているかを検出する。また、開放状態検出部２は、窓Ｗがどの程度開いているかを定期的に（例えば１０秒毎などに）検出することで、窓Ｗの開放状態の変化を検出する。そして、開放状態検出部２は、窓Ｗが開いているか閉まっているかを示す信号および窓Ｗの開放状態が変化したことを示す信号を出力する。また、開放状態検出部２は、測距センサやスイッチなどにより構成されている。
【００１１】
例えば、図２に示すように、窓Ｗは可動部Ｗ１と窓枠Ｗ２を備えて構成されており、可動部Ｗ１をスライドさせることで、窓Ｗを開けたり閉めたりすることができる。窓枠Ｗ２には、測距センサＷＳおよびスイッチＳＷが設置されている。スイッチＳＷは、窓枠Ｗ２の可動部Ｗ１に対向する部分に設置されており、閉められた可動部Ｗ１の側面によって押下されると、窓Ｗが閉まっていることを示す信号を出力する。また、測距センサＷＳは、窓枠Ｗ２と窓Ｗの可動部Ｗ１の端との距離を計測して、その値を出力する。なお、本実施形態では、スイッチＳＷは、窓Ｗの可動部Ｗ１の側面によって押下された際に窓Ｗが閉まっていることを示す信号を出力しているが、これに限定されない。例えば、スイッチＳＷは、窓Ｗの可動部Ｗ１の側面によって押下されていないときに窓Ｗが開いていることを示す信号を出力するようにしても良い。
【００１２】
施錠／解錠検出部３は、窓鍵Ｗｋが施錠されているか解錠されているかを検出し、それを示す信号を出力する。ここで、施錠／解錠検出部３は、窓鍵Ｗｋが施錠された際に出力される施錠信号を入力することで、窓鍵Ｗｋが施錠されていることを検出する。なお、本実施形態では、窓鍵Ｗｋは施錠された際に施錠信号を出力しているが、これに限定されない、例えば、窓鍵Ｗｋは解錠された際に解錠信号を出力するようにしても良い。このような場合において、施錠／解錠検出部３は、解錠信号を入力することで窓鍵Ｗｋが解錠されていることを検出する。
【００１３】
施錠開始検出部４は、住戸の玄関のドアＤに設けた外鍵Ｄｋが施錠されることを検出し、施錠開始信号を出力する。ここで、外鍵Ｄｋは、居住者がドアＤを外部から施錠または解錠する際に用いられるものであり、住戸の内部からの施錠または解錠とは区別される。また、施錠開始検出部４による外鍵Ｄｋの施錠の開始の検出は、例えば、ドアＤの開放を検出することで行われる。つまり、居住者が外出する場合には、ドアＤを開けて外に出る動作が必ず発生するため、この動作が外鍵Ｄｋの施錠の開始の検出に用いられる。なお、これ以外にも、外鍵Ｄｋの鍵穴に鍵を挿入することを検出するようにしても良いし、ドアＤのドアノブなどを回すことを検出するようにしても良い。
【００１４】
施錠終了信号５は、住戸の玄関のドアＤに設けた外鍵Ｄｋが施錠されたことを検出し、施錠終了信号を出力する。ここで、施錠終了検出部５による外鍵Ｄｋの施錠の終了の検出は、例えば、外鍵Ｄｋが施錠された際に出力する施錠信号や不在信号を入力することで行われる。ここで、外鍵Ｄｋから出力される施錠信号は、窓鍵Ｗｋから出力される施錠信号とは異なる。また、不在信号とは、外鍵Ｄｋの施錠により居住者の外出を判断するための信号である。
【００１５】
確認報知部６は、玄関の近傍に設置され、開いている窓Ｗが住戸内に存在している場合に、それを報知する。ここで、確認報知部６は、スピーカなどの音声出力装置により構成されており、「窓が開いています」といった音声による報知を行う。なお、本実施形態では、確認報知部６は、窓Ｗが開いているか否かのみを報知しているが、これに限定されない。例えば、住戸内に複数の窓Ｗが存在する場合には、窓Ｗに対してそれぞれ識別信号を付し、どの窓が開いているかを特定して、開いている窓を特定するような報知を行うようにしても良い。また、確認報知部６を単なるアラームや確認用のランプの点灯などによって構成するようにしても良い。
【００１６】
警告報知部７は、窓Ｗの近傍に設置され、開いている窓Ｗが更に開けられた場合などに、窓Ｗに異常が発生していることを報知する。ここで、警告報知部７は、スピーカなどの音声出力装置により構成されており、「侵入者が居ます」といった音声による報知を行う。なお、本実施形態では、警告報知部７は、窓Ｗを開けた侵入者やその周辺に居る人に向けて報知を行っているが、これに限定されない。例えば、電話回線などを利用して、居住者が携行している携帯電話機に、窓Ｗに異常が発生していることを報知するようにしても良い。また、警告報知部７を単なるアラームや確認用のランプの点灯などによって構成するようにしても良い。
【００１７】
第一の報知制御部１ａは、確認報知部６を制御する。具体的には、施錠開始検出部４がドアＤの外鍵Ｄｋの施錠の開始を検出して施錠開始信号を出力すると、第一の報知制御部１ａは施錠開始信号を入力する。また、第一の報知制御部１ａは、開放状態検出部２から窓Ｗが開いているか閉まっているかを示す信号を入力する。そして、施錠開始信号を入力し、窓Ｗが開いていることを示す信号を入力すると、第一の報知制御部１ａは、確認報知部６を動作させて、玄関のドアＤ近傍の居住者に対して、窓Ｗが開いている旨を報知する。その後、施錠終了検出部５がドアＤの外鍵Ｄｋから施錠信号を入力して施錠終了信号を出力すると、第一の報知制御部１ａは施錠終了信号を入力する。施錠終了信号を入力した第一の報知制御部１ａは、確認報知部６の動作を停止する。
【００１８】
一方、施錠開始信号を入力していない場合や施錠開始信号を入力していても窓Ｗが閉まっていることを示す信号を入力した場合には、第一の報知制御部１ａは、確認報知部６を動作させない。つまり、この制御により、開いている窓Ｗが存在する場合には、外出しようとした居住者に対して、窓Ｗが開いていることを報知する。また、居住者がドアＤの外鍵Ｄｋを施錠すると報知を終了させる。
【００１９】
施錠制御部１ｂは、窓鍵Ｗｋを施錠する。具体的には、施錠終了検出部５がドアＤの外鍵Ｄｋから施錠信号を入力して施錠終了信号を出力すると、施錠制御部１ｂは施錠終了信号を入力する。また、施錠制御部１ｂは、開放状態検出部２から窓Ｗが開いているか閉まっているかを示す信号を入力する。また、施錠制御部１ｂは、施錠／解錠検出部３から窓鍵Ｗｋが施錠されているか否かを示す施錠信号を入力する。そして、施錠終了信号を入力し、窓Ｗが閉まっていることを示す信号を入力して、窓鍵Ｗｋが施錠されていない（施錠信号を入力していない）と判断した場合に、施錠制御部１ｂは、窓鍵Ｗｋを施錠する。つまり、この制御により、ドアＤの外鍵Ｄｋの施錠に連動して、閉まっている窓Ｗの窓鍵Ｗｋが施錠される。
【００２０】
第二の報知制御部１ｃは、警告報知部７を制御する。具体的には、施錠終了検出部５がドアＤの外鍵Ｄｋから施錠信号を入力して施錠終了信号を出力すると、第二の報知制御部１ｃは施錠終了信号を入力する。また、第二の報知制御部１ｃは、開放状態検出部２から窓Ｗの開放状態が変化したことを示す信号を入力する。そして、施錠終了信号を入力した後に、窓Ｗの開放状態が変化したことを示す信号を入力すると、第二の報知制御部１ｃは、警告報知部７を動作させて、窓Ｗに異常が発生したことを窓Ｗの近傍で報知する。つまり、この制御により、窓Ｗを開けたまま居住者が外出した場合に、窓Ｗが侵入者などによって更に開けられると、窓Ｗに異常が発生していることを報知する。
【００２１】
次に、本実施形態による住戸監視装置１０の動作および住戸監視方法を説明する。図３は、本実施形態による住戸監視装置１０の動作および住戸監視方法を示すフローチャートである。まず、ドアＤの外鍵Ｄｋの施錠が開始されたか否かを施錠開始検出部４にて調べる（ステップＳ１）。ドアＤの外鍵Ｄｋの施錠が開始されていないと施錠開始検出部４にて判断した場合には（ステップＳ１にてＮｏ）、ステップＳ１の処理を繰り返す。一方、ドアＤの外鍵Ｄｋの施錠が開始されたと施錠開始検出部４にて判断した場合には（ステップＳ１にてＹｅｓ）、開いている窓Ｗがあるか否かを開放状態検出部２にて調べる（ステップＳ２）。
【００２２】
開いている窓Ｗがないと開放状態検出部２にて判断した場合には（ステップＳ２にてＮｏ）、ドアＤの外鍵Ｄｋの施錠が終了したか否かを施錠終了検出部５にて調べる（ステップＳ３）。そして、ドアＤの外鍵Ｄｋの施錠が終了していないと施錠終了検出部５にて判断した場合には（ステップＳ３にてＮｏ）、ステップＳ１の処理に戻る。これは、窓Ｗを開けて外出しようとした居住者が、窓Ｗが開いていないことを確認して住戸内に戻るケースを示している。一方、ドアＤの外鍵Ｄｋの施錠が終了したと施錠終了検出部５にて判断した場合には（ステップＳ３にてＹｅｓ）、第一の報知制御部１ａは、確認報知部６が動作していれば、その報知を停止する（ステップＳ４）。
【００２３】
施錠制御部１ｂでは、全ての窓Ｗについて、その窓鍵Ｗｋが施錠されているか否かを施錠／解錠検出部３により調べる（ステップＳ５）。ここで、全ての窓Ｗの窓鍵Ｗｋは閉まっている。そして、全ての窓Ｗの窓鍵Ｗｋが施錠されている場合には（ステップＳ５にてＹｅｓ）、処理を終了する。一方、窓鍵Ｗｋが施錠されていない窓Ｗが存在する場合には（ステップＳ５にてＮｏ）、施錠制御部１ｂは、施錠されていない窓Ｗの窓鍵Ｗｋを施錠する（ステップＳ６）。
【００２４】
ステップＳ２にて、開いている窓Ｗがあるか否かを開放状態検出部２にて調べた際に、開いている窓Ｗがあると開放状態検出部２にて判断した場合には（ステップＳ２にてＹｅｓ）、第一の報知制御部１ａは、確認報知部６を動作させて玄関での報知を行う（ステップＳ７）。そして、ドアＤの外鍵Ｄｋの施錠が終了したか否かを施錠終了検出部５にて調べる（ステップＳ８）。ドアＤの外鍵Ｄｋの施錠が終了していないと施錠終了検出部５にて判断した場合には（ステップＳ８にてＮｏ）、ステップＳ１の処理に戻る。これは、窓Ｗを閉めて外出しようとした居住者が、窓Ｗが開いていることを確認して住戸内に戻るケースを示している。
【００２５】
一方、ドアＤの外鍵Ｄｋの施錠が終了したと施錠終了検出部５にて判断した場合には（ステップＳ８にてＹｅｓ）、第一の報知制御部１ａは、その報知を停止する（ステップＳ９）。これは、窓Ｗを開けて外出しようとした居住者が、窓Ｗが開いていることを確認して玄関のドアＤの外鍵Ｄｋを施錠するケースを示している。
【００２６】
次に、施錠制御部１ｂでは、開放状態検出部２により閉まっていることが検出された窓Ｗについて、その窓鍵Ｗｋが施錠されているか否かを施錠／解錠検出部３により調べる（ステップＳ１０）。閉まっている窓Ｗの窓鍵Ｗｋの全てが施錠されている場合には（ステップＳ１０にてＹｅｓ）、ステップＳ１２に移行する。一方、閉まっている窓Ｗのうち窓鍵Ｗｋが施錠されていない窓が存在する場合には（ステップＳ１０にてＮｏ）、施錠制御部１ｂは、施錠されていない窓Ｗの窓鍵Ｗｋを施錠する（ステップＳ１１）。
【００２７】
ステップＳ１２では、開いている窓Ｗの開放状態が変化したか否かを開放状態検出部２にて調べる。開いている窓Ｗの開放状態が変化していないと開放状態検出部２にて判断した場合には（ステップＳ１２にてＮｏ）、玄関のドアＤの外鍵Ｄｋが解錠されたか否かを図示しない解錠検出部にて調べる（ステップＳ１３）。玄関のドアＤの外鍵Ｄｋが解錠されていないと解錠検出部にて判断した場合には（ステップＳ１３にてＮｏ）、ステップＳ１２の処理に戻る。一方、玄関のドアＤの外鍵Ｄｋが解錠されたと解錠検出部にて判断した場合には（ステップＳ１２にてＹｅｓ）、処理を終了する。
【００２８】
また、開いている窓Ｗの開放状態が変化したと開放状態検出部２にて判断した場合には（ステップＳ１２にてＹｅｓ）、第二の報知制御部１ｃは、警告報知部７を動作させて窓Ｗに異常が発生したことを報知する（ステップＳ１４）。これは、窓Ｗを開けたまま居住者が外出した場合に、窓Ｗを侵入者などが更に開けたときに警告を出すケースを示している。
【００２９】
以上詳しく説明したように、本実施形態によれば、住戸内の窓Ｗの開放状態を開放状態検出部２にて検出し、窓Ｗが施錠されているか否かを施錠／解錠検出部３にて検出する。また、玄関のドアＤの外鍵Ｄｋの施錠の開始時に、開いている窓Ｗが存在する場合には、第一の報知制御部１ａは、窓Ｗが開いていることを確認報知部６により報知する。そして、玄関のドアＤの外鍵Ｄｋの施錠の終了時に、確認報知部６の動作を停止する。一方、玄関のドアＤの外鍵Ｄｋの施錠の終了時に、施錠制御部１ｂは閉まっている窓Ｗの窓鍵Ｗｋを施錠する。また、玄関のドアＤの外鍵Ｄｋの施錠の終了後に、窓Ｗの開放状態が変化したと開放状態検出部２にて検出した場合には、第二の報知制御部１ｃは、その窓Ｗに異常が発生していることを警告報知部７により報知するようにしている。
【００３０】
これにより、開いている窓Ｗについて、玄関のドアＤの外鍵Ｄｋの施錠時に確認を促す報知が行われるので、意図的に開放されている窓Ｗが無い場合には、居住者はそれらの窓Ｗを閉めることで、住戸内の防犯性を高めることができる。一方、意図的に開放されている窓Ｗがある場合には、居住者はそのまま玄関のドアＤの外鍵Ｄｋの施錠を行うことができる。また、閉まっている窓Ｗは、玄関のドアＤの外鍵Ｄｋの施錠後に自動的に施錠されるので、住戸内の防犯性を更に高めることができる。また、開いている窓Ｗが侵入者などによって更に開けられた場合には、窓Ｗに異常が発生したことが報知されるので、開いてうる窓Ｗへの侵入に適切に対処することができる。
【００３１】
なお、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００３２】
【図１】本実施形態による住戸監視装置を含む住戸システムの構成例を示すブロック図である。
【図２】本実施形態による住戸監視装置を含む住戸システムに使用される窓の構成例を示す図である。
【図３】本実施形態による住戸監視装置の動作および住戸監視方法を示すフローチャートである。
【符号の説明】
【００３３】
１    制御部
１ａ    第一の報知制御部
１ｂ    施錠制御部
１ｃ    第二の報知制御部
２    開放状態検出部
３    施錠／解錠検出部
４    施錠開始検出部
５    施錠終了検出部
６    確認報知部
７    警告報知部
１０    住戸監視装置
Ｗ    窓
Ｗｋ    窓鍵
Ｄ    ドア
Ｄｋ    外鍵
【図１】
2009289147.tif 000003
【図２】
2009289147.tif 000004
【図３】
2009289147.tif 000005